(57)【要約】【課題】  プリントアウトされたシールを携帯電話や身の回りの小物などのグッズに貼り付けるようにした画像プリント供給システムを提供することを目的とする。【解決手段】  携帯電話など被プリント物体６に画像をプリントしたシール５を貼り付ける画像プリント供給システムであって、被プリント物体６の画像とユーザーを写真撮影した貼付画像とを重ね表示し、被プリント物体画像に対して貼付画像を縮小、拡大、移動するとともに、該貼付画像に文字及び図形を合成あるいは編集し、合成あるいは編集された画像をシール５にプリントアウトした後、このシール５を前記被プリント物体６に貼り付けるようにした。【選択図】図１
2008211750.tif 000002
【特許請求の範囲】
【請求項１】
被プリント物体を読み込み、被プリント物体画像データを出力するスキャナーまたはカメラと、ユーザーを写真撮影し、貼付画像データを出力する撮影用カメラと、記録メディアからの貼付画像データを読み込む記録メディア入力装置と、各種パターンの画像データを記憶するメモリ回路と、各種画像データを合成および編集する画像処理回路と、合成および編集された各種画像データを画像で表示するディスプレイ装置と、前記画像をシールにプリントアウトするプリンタと、プリントアウトされたシールを前記被プリント物体に貼り付けるシール貼付装置と、からなり、前記被プリント物体画像に前記貼付画像を重ね表示し、被プリント物体画像に対して貼付画像を縮小、拡大、移動するとともに、該貼付画像に文字及び図形を合成あるいは編集し、該合成あるいは編集された画像をシールにプリントアウトした後、該シールを前記被プリント物体に貼り付けるようにしたことを特徴とする、画像プリント供給システム。
【発明の詳細な説明】
【技術分野】
【０００１】  本発明は、携帯電話や身の回りの小物などのグッズにプリントシールを貼り付けるようにした画像プリント供給システムに関する。
【背景技術】
【０００２】  従来より、様々なタイプの画像プリント供給装置が市場に出回っており、その多くが被写体の画像と背景画像（タイトルやフレームなど各種のイメージデータ）とを合成したり、編集する機能を有していて、これら合成または編集した画像をプリント供給できるようになっている。このような画像プリント供給装置には、タッチパネル式ディスプレイ装置とラクガキ用タッチペンとが備えられ、撮影した画像を当該ディスプレイ装置の画面に表示し、その上に客がラクガキ用タッチペンを用いて所望の文字や図形を記入し、これを撮影画像と合成したものをシール用紙にプリントして提供し得るようになっている。通常は、プリントアウトされた画像をストックブックや手帳等に貼り付けてコレクションとして楽しんだり、ポストカード等に貼り付けたりして利用されている。
【発明の開示】
【発明が解決しようとする課題】
【０００３】  しかしながら、プリントアウトされたシール用紙をアルバムのように保存するだけでなく、他の用途、例えば携帯電話や身の回りの小物などのグッズに貼り付けて楽しみたいとの要望が増えつつある。【０００４】  本発明は、上記課題に鑑みてなされたものであって、その目的は、プリントアウトされたシールを携帯電話や身の回りの小物などのグッズに貼り付けるようにした画像プリント供給システムを提供することにある。
【課題を解決するための手段】
【０００５】  上記のような目的を達成するために、本発明の画像プリント供給システムは、被プリント物体を読み込み、被プリント物体画像データを出力するスキャナーまたはカメラと、ユーザーを写真撮影し、貼付画像データを出力する撮影用カメラと、記録メディアからの貼付画像データを読み込む記録メディア入力装置と、各種パターンの画像データを記憶するメモリ回路と、各種画像データを合成および編集する画像処理回路と、合成および編集された各種画像データを画像で表示するディスプレイ装置と、前記画像をシールにプリントアウトするプリンタと、プリントアウトされたシールを前記被プリント物体に貼り付けるシール貼付装置とからなり、前記被プリント物体画像に前記貼付画像を重ね表示し、被プリント物体画像に対して貼付画像を縮小、拡大、移動するとともに、該貼付画像に文字及び図形を合成あるいは編集し、該合成あるいは編集された画像をシールにプリントアウトした後、該シールを前記被プリント物体に貼り付けるようにしたことを特徴とするものである。
【発明の効果】
【０００６】  上記構成の本発明によれば、プリントアウトされたシールをグッズに貼り付ける画像プリント供給システムを構築することができ、これまでのようにプリントアウトされたシール用紙をアルバムのように保存するだけでなく、他の用途、即ち携帯電話や身の回りの小物などのグッズにシールをその場で貼り付けて楽しむことができる。
【発明を実施するための最良の形態】
【０００７】  以下、図面を参照しながら、本発明に係る実施の形態について説明する。【０００８】＜イ＞本システム
本システムは、装置本体（ハウジング）１、スキャナー３、シール貼付装置４などからなる。ハウジング１には、撮影用カメラ１０、記録メディア入力装置１１、ディスプレイ装置１２、シール発行口１４、コイン投入口１５、スピーカ１６等が備えられ、内部にパソコン本体部２及びプリンタ（インクジェットプリンタ）１７等が設けられている。撮影用カメラ１０ａは被プリント物体（携帯電話や身の回りの小物などシール５を貼り付けたい商品）６を撮影し、被プリント物体画像データを出力する。撮影用カメラ１０ｂはユーザーを写真撮影し、貼付画像データを出力する。【０００９】＜ロ＞記録メディア入力装置
記録メディア入力装置１１は、各種のメモリカード等の記録メディアから画像データを読み取るものである。本例ではカードリーダ１１を示したが、ＣＤ／ＤＶＤドライブ、赤外線ポート等各種用いることができる。【００１０】＜ハ＞ディスプレイ装置
ディスプレイ装置１２はタッチパネル１３を兼ねており、タッチ操作により画像の選択、画像の合成・編成等の各種の操作入力ができる。ディスプレイ１２には、画像編集処理における各種メッセージや各種編集ツール、編集対象の画像などが表示され、タッチペン（または指）をタッチパネル１３に接触させることによって、入力操作が可能になる。ディスプレイ装置１２の上方にスピーカ１６が設けられ、各種操作上のガイダンス音声や効果音などを出力する。【００１１】  ＜ニ＞パソコン本体部（図２）
パソコン本体部２には、カメラ１０の撮影動作を制御すると共に、撮影された画像データを画像処理回路２２へ送出するカメラ制御回路２０と、装置全体の制御を行う中央処理装置（ＣＰＵ）２１と、画像データの編成処理を行う画像処理回路２２と、画像合成処理のプログラムを含む各種のアプリケーションソフト等が格納され、また各種画像データが一時記録されるメモリ回路２３と、カードリーダ１１を制御するカードリーダ制御部２４と、プリンタ用インターフェース２５とが設けられている。２６は、各回路要素間のデータの伝送を行うデータパスである。【００１２】  パソコン本体部２の主要な機能は、▲１▼カメラ１０ａにより撮影された被プリント物体画像の電子データを記録し、▲２▼カメラ１０ｂにより撮影された被写体等の貼付画像の電子データを記録し、画像処理を行い、▲３▼あるいは記録メディアからの画像データを読み込み、画像処理を行い、▲４▼被プリント物体画像と貼付画像とを重ね表示し、▲５▼ユーザーによって書き込まれた文字等と合成して所望の画像データ信号を編成し、▲６▼ディスプレイ装置１２に出力して、所望の画像を表示させるとともに、▲７▼プリンタ１７に出力して、所望の画像をシール５にプリントし発行するという一連の作動を実行する。【００１３】  ＜ホ＞シール貼付装置
シール貼付装置４は、所望の画像をプリントしたシール５を被プリント物体６へ貼り付けるもので、図３に示すように本体４０と蓋４１からなり、本体４０に作業台４４及び真空ボックス４５が設けられ、蓋４１にヒータ４２及び弾力性のあるマット部材４３が設けられている。真空ボックス４５は、作業台４４との間に真空吸引のための小孔４６が多数あけられ、下方に吸引ホース４７を介して真空ポンプ４８に接続している。シール５は、例えばプリント面の反対側に熱可塑性接着剤層を設けている。【００１４】  図３（Ａ）はシール５の貼付準備状態を示し、作業台４４の上に被プリント物体（携帯電話）６を載せ、プリントしたシール５を熱可塑性接着剤層の側が被プリント物体６側となるようにこれに被せている。次に図３（Ｂ）に示すように蓋４１を下降し、加熱されたマット４３がシール５を覆うとともに、真空ポンプ４８で真空吸引することで、被プリント物体６の表面に沿ってシール５の熱可塑性接着剤層が溶融される。その後、蓋４１を上昇させてシール５からマット４３を引き離すと、熱可塑性接着剤層の温度が下がって硬化し、シール５を被プリント物体６に貼り付ける。【００１５】＜ヘ＞作用
ユーザー自身の写真に別の写真や文字を合成してプリントしたシール５を、被プリント物体６に貼り付ける場合について、図４のフローチャートに基づいて述べる。【００１６】  先ずコイン投入口１５に所定の料金を投入し（ステップＳ１）、被プリント物体６をスキャンするか、写真撮影するかをタッチパネル１３で選択する。スキャンする場合は被プリント物体６をスキャナー３に置き、スキャンする。写真撮影する場合はカメラ１０ａで撮影する。このようにスキャンまたは撮影した画像データ（被プリント物体画像）をメモリ回路２３に保存する（ステップＳ２）。【００１７】  次にシール５にプリントするユーザーの画像（貼付画像）をその場で写真撮影か、お気に入りの写真を読み込むかをタッチパネル１３で選択する（ステップＳ３）。その場で撮影の場合はカメラ１０ｂで写真撮影する（ステップＳ４）。記録メディア、例えばデジカメ等で既に撮影済みの写真の場合は、メモリデータをカードリーダ１１で読み込む（ステップＳ５）。タッチパネル１３を操作して読み込んだ画像データの一覧をディスプレイ装置１２上に表示させる。一覧のうち希望するお気に入りのものをタッチして画像データを選択すると（ステップＳ６）、その画像データがメモリ回路２３に読み込まれる（ステップＳ７）。【００１８】  なお、ステップＳ５のメモリデータの読み込みのほかにＣＤ、ＤＶＤ、紙、携帯電話（赤外線）等から読み込むこともでき、この場合のフローを図５に示す。ＣＤ／ＤＶＤドライブは、メモリデータと同じように一覧を表示し、読込画像データを選択した上で読み込まれる（ステップＳ５−２〜Ｓ５−４）。スナップ写真等の紙の場合は、スキャナー３またはカメラ１０ａで用紙データを読み込む（ステップＳ５−５）。携帯電話（赤外線）からの画像データは赤外線ポートから読み込む（ステップＳ５−６）。上記のいずれからも画像データを読み込まない場合は、メモリ回路２３に格納されている背景画像データから希望するものを選択し、読み込む（ステップＳ５−７）。【００１９】  読み込んだ貼付画像の背景等を修正する場合は（ステップＳ８）、タッチパネル１３で編集モードに切り替え、タッチペンを用いて貼付画像の背景画像を修正する（ステップＳ９）。次にユーザー自身の写真にアイドルやスターなど芸能人の写真、あるいは景色の写真等を合成する場合は、次の画像データを読み込むかどうかを判断し（ステップＳ１０）、読み込む必要があれば、作業は前記ステップＳ３に戻り、同様の操作を行う。読み込む必要がない場合は、ステップＳ１１へ進む。ステップＳ１１では、ステップＳ２で読み込んだ被プリント物体画像をメモリ回路２３から読み出してディスプレイ１２に表示する。【００２０】  次いでタッチパネル１３で編集モードに切り替え、被プリント物体画像に貼付画像（１枚または２枚）を重ねて表示し（ステップＳ１２）、被プリント物体画像に対して貼付画像の大きさや貼付位置が希望どおりか確認する。希望どおりでない場合はタッチペンで貼付画像を縮小または拡大したり、貼付画像を移動して貼付位置を修正する（ステップＳ１３）。なお、貼付画像が２枚の場合は、ステップＳ１２において合成手段により合成して表示する。【００２１】  落書きを行う場合は、文字入力モードを起動させ、合成画像上にタッチペンを用いて合成用の文字列（自筆の文字、図形等）を入力し、文字情報を合成手段により合成してディスプレイ１２に表示する（ステップＳ１４）。合成された文字情報（フォント・サイズ・文字色など）を編集する場合には、文字情報編集モードに切り替えて、タッチペンにより文字情報の修正を行う。
以上の処理により、ユーザーが撮影した画像データ及びこの画像データに付加された文字情報を合成した貼付画像を作成することができる。【００２２】  次に、貼付画像をプリントするかを確認してＯＫであれば、ディスプレイ画面１２の「プリント」ボタンを押す。これにより、インターフェース２５に当該貼付画像が送信され、プリンタ１７によりシール５に貼付画像がプリントされ（ステップＳ１５）、シール発行口１４から排出される。もう１枚プリントする場合は（ステップＳ１６）、コインを投入し（ステップＳ１７）、同様にディスプレイ画面１２の「プリント」ボタンを押す。プリントされたシール５を、前記したようにシール貼付装置４を操作して携帯電話等の被プリント物体６に貼り付ける。【００２３】  このようにして、本発明によればお気に入りの写真画像やこれらの合成画像をシール５にプリントアウトすることができ、このシール５をその場で携帯電話など身の回りのグッズに貼り付けて楽しむことができる。また本発明によればシール５を貼り付けた携帯電話等の被プリント物体６の本体を装飾するのみならず、本体表面を保護し、表面に細かい傷がつくことを防止する。
【図面の簡単な説明】
【００２４】
【図１】画像プリント供給システムを示す概略斜視図。
【図２】画像プリント供給システムの回路構成を示すブロック図。
【図３】プリントシール貼付装置を示す概略図で、（Ａ）はプリントシールの貼付準備状態を示し、（Ｂ）はプリントシールの貼付状態を示す。
【図４】画像プリント供給システムの操作手順を示すフローチャート。
【図５】各種記録メディアから画像データを読み込む場合のフローチャート。
【符号の説明】
【００２５】１・・・・ハウジング
１０・・・カメラ
１１・・・カードリーダ
１２・・・ディスプレイ装置
１３・・・タッチパネル操作部
１７・・・プリンタ
２・・・・パソコン本体部
２０・・・カメラ制御回路
２１・・・ＣＰＵ
２２・・・画像処理回路
２３・・・メモリ回路
２４・・・カードリーダ制御部
３・・・・スキャナー
４・・・・シール貼付装置
４２・・・ヒータ
４４・・・作業台
４５・・・真空ボックス
５・・・・シール
６・・・・被プリント物体
【図１】
2008211750.tif 000003
【図２】
2008211750.tif 000004
【図３】
2008211750.tif 000005
【図４】
2008211750.tif 000006
【図５】
2008211750.tif 000007